(57)【要約】【課題】センサ連動動作の複数の動作モードおよびタイマーの動作／停止を簡単に切り替えることができる住宅内情報監視・制御装置および方法を提供する。【解決手段】住宅内情報監視・制御装置１は、パーソナルコンピュータ３０に常に表示されるメインメニュー内にタイマー動作の動作／停止の現在の状態を示す状態表示欄としてタイマー欄を表示した表示画面データをパーソナルコンピュータ３０に送信する制御手段１３と、制御手段１３からのタイマー動作切替指示信号に応じてタイマー動作の動作／停止を切り替えるタイマー制御手段１４とを具備する。タイマー欄には、タイマー動作の動作／停止の現在の状態がハイライト表示され、タイマー動作の動作／停止の他の状態がシャドウ表示されるとともに住宅内情報監視・制御装置１にハイパーリンクされている。【選択図】図１
2010110024.tif 000002
【特許請求の範囲】
【請求項１】
家庭内の制御対象機器のオン／オフ制御をタイマーにより行わせるタイマー動作機能を備えた住宅内情報監視・制御装置であって、
該住宅内情報監視・制御装置とネットワークを介して接続されたパーソナルコンピュータ（３０）によって該住宅内情報監視・制御装置にログインされると、該パーソナルコンピュータに常に表示されるメインメニュー内にタイマー動作の動作／停止の現在の状態を示す状態表示欄としてタイマー欄を表示した表示画面データを前記パーソナルコンピュータに送信する制御手段（１３）と、
該制御手段からのタイマー動作切替指示信号に応じて前記タイマー動作の動作／停止を切り替えるタイマー制御手段（１４）とを具備し、
前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされている、
ことを特徴とする、住宅内情報監視・制御装置。
【請求項２】
センサの反応に連動させて家庭内の制御対象機器を動作させるセンサ連動動作機能を備えた住宅内情報監視・制御装置であって、
該住宅内情報監視・制御装置とネットワークを介して接続されたパーソナルコンピュータ（３０）によって該住宅内情報監視・制御装置にログインされると、該パーソナルコンピュータに常に表示されるメインメニュー内にセンサ連動動作の動作モードの現在の状態を示す状態表示欄として動作モード欄を表示した表示画面データを前記パーソナルコンピュータに送信する制御手段（１３）と、
前記制御手段からの動作モード切替指示信号に応じて前記センサ連動動作の動作モードを切り替える動作モード制御手段（１５）とを具備し、
前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされている、
ことを特徴とする、住宅内情報監視・制御装置。
【請求項３】
家庭内の制御対象機器のオン／オフ制御をタイマーにより行わせるタイマー動作機能およびセンサの反応に連動させて家庭内の制御対象機器を動作させるセンサ連動動作機能を備えた住宅内情報監視・制御装置であって、
該住宅内情報監視・制御装置とネットワークを介して接続されたパーソナルコンピュータ（３０）によって該住宅内情報監視・制御装置にログインされると、該パーソナルコンピュータに常に表示されるメインメニュー内にセンサ連動動作の動作モードおよびタイマー動作の動作／停止の現在の状態を示す状態表示欄として動作モード欄およびタイマー欄を表示した表示画面データを前記パーソナルコンピュータに送信する制御手段（１３）と、
該制御手段からのタイマー動作切替指示信号に応じて前記タイマー動作の動作／停止を切り替えるタイマー制御手段（１４）と、
前記制御手段からの動作モード切替指示信号に応じて前記センサ連動動作の動作モードを切り替える動作モード制御手段（１５）とを具備し、
前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされており、
前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされている、
ことを特徴とする、住宅内情報監視・制御装置。
【請求項４】
前記タイマー制御手段が、前記パーソナルコンピュータから設定された開始時刻および終了時刻を所定の時間の範囲内でランダムに変更して動作開始時刻および動作終了時刻を決定し、
前記制御手段が、前記タイマー動作の動作／停止の現在の状態が「動作」である場合には、前記タイマー制御手段により決定された動作開始時刻および動作終了時刻に前記制御対象機器のオン／オフ制御を行う、
ことを特徴とする、請求項１または３記載の住宅内情報監視・制御装置。
【請求項５】
家庭内の制御対象機器のオン／オフ制御をタイマーにより行わせるタイマー動作機能を備えた住宅内情報監視・制御装置（１）を用いて前記制御対象機器のオン／オフ制御を行う住宅内情報監視・制御方法であって、
前記住宅内情報監視・制御装置とネットワークを介して接続されたパーソナルコンピュータ（３０）によって該住宅内情報監視・制御装置にログインするステップと、
前記住宅内情報監視・制御装置の制御手段（１３）が、前記パーソナルコンピュータに常に表示されるメインメニュー内にタイマー動作の動作／停止の現在の状態を示す状態表示欄としてタイマー欄を表示した表示画面データを前記パーソナルコンピュータに送信するステップと、
前記住宅内情報監視・制御装置のタイマー制御手段（１４）が、前記制御手段からのタイマー動作切替指示信号に応じて前記タイマー動作の動作／停止を切り替えるステップとを具備し、
前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされている、
ことを特徴とする、住宅内情報監視・制御方法。
【請求項６】
センサの反応に連動させて家庭内の制御対象機器を動作させるセンサ連動動作機能を備えた住宅内情報監視・制御装置（１）を用いて該センサの反応に連動させて該制御対象機器を動作させる住宅内情報監視・制御方法であって、
前記住宅内情報監視・制御装置とネットワークを介して接続されたパーソナルコンピュータ（３０）によって該住宅内情報監視・制御装置にログインするステップと、
前記住宅内情報監視・制御装置の制御手段（１３）が、前記パーソナルコンピュータに常に表示されるメインメニュー内にセンサ連動動作の動作モードの現在の状態を示す状態表示欄として動作モード欄を表示した表示画面データを前記パーソナルコンピュータに送信するステップと、
前記住宅内情報監視・制御装置の動作モード制御手段（１５）が、前記制御手段からの動作モード切替指示信号に応じて前記センサ連動動作の動作モードを切り替えるステップとを具備し、
前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされている、
ことを特徴とする、住宅内情報監視・制御方法。
【請求項７】
家庭内の制御対象機器のオン／オフ制御をタイマーにより行わせるタイマー動作機能およびセンサの反応に連動させて家庭内の制御対象機器を動作させるセンサ連動動作機能を備えた住宅内情報監視・制御装置（１）を用いて前記制御対象機器のオン／オフ制御を行うとともに前記センサの反応に連動させて前記制御対象機器を動作させる住宅内情報監視・制御方法であって、
該住宅内情報監視・制御装置とネットワークを介して接続されたパーソナルコンピュータ（３０）によって該住宅内情報監視・制御装置にログインするステップと、
前記住宅内情報監視・制御装置の制御手段（１３）が、前記パーソナルコンピュータに常に表示されるメインメニュー内にセンサ連動動作の動作モードおよびタイマー動作の動作／停止の現在の状態を示す状態表示欄として動作モード欄およびタイマー欄を表示した表示画面データを前記パーソナルコンピュータに送信するステップと、
前記住宅内情報監視・制御装置のタイマー制御手段（１４）が、前記該制御手段からのタイマー動作切替指示信号に応じて前記タイマー動作の動作／停止を切り替えるステップと、
前記住宅内情報監視・制御装置の動作モード制御手段（１５）が、前記制御手段からの動作モード切替指示信号に応じて前記センサ連動動作の動作モードを切り替えるステップとを具備し、
前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされており、
前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされている、
ことを特徴とする、住宅内情報監視・制御方法。
【請求項８】
前記制御対象機器をオンする時刻である開始時刻および該制御対象機器をオフする時刻である終了時刻を前記パーソナルコンピュータから設定する第１のステップと、
前記タイマー制御手段が、前記開始時刻および前記終了時刻を所定の時間の範囲内でランダムに変更して動作開始時刻および動作終了時刻を決定する第２のステップと、
前記制御手段が、前記タイマー動作の動作／停止の現在の状態が「動作」である場合には、前記タイマー制御手段により決定された動作開始時刻および動作終了時刻に前記制御対象機器のオン／オフ制御を行う第３のステップと、
をさらに具備することを特徴とする、請求項５または７記載の住宅内情報監視・制御方法。
【発明の詳細な説明】
【技術分野】
【０００１】
本発明は、住宅内情報監視・制御装置および住宅内情報監視・制御方法に関し、特に、インターネットなどのネットワークに接続可能なパーソナルコンピュータを用いてセンサ連動動作の動作モードの切替やタイマーの動作／停止の切替を行うのに好適な住宅内情報監視・制御装置および住宅内情報監視・制御方法に関する。
【背景技術】
【０００２】
近年、インターネットの発達に伴い、ユーザがパーソナルコンピュータや携帯電話などを用いて、家庭内の照明機器やＨＡ端子付家電製品（エアコンおよび電気錠など）のオン／オフ制御をしたりセンサ（火災センサ、ガスセンサおよび人感センサなど）の反応やカメラで撮影した画像を所定の電子メールアドレスに送信したりすることができる住宅内情報監視・制御装置が開発されている（たとえば、テンパール工業株式会社製のモニコンステーションＡＭＣ−ＳＴ）。
【０００３】
なお、下記の特許文献１には、携帯電話機により電話回線あるいはインターネット網を介して家庭内や事業所内の制御ターミナルに接続し、電動錠、照明機器、エアコンなどの機器類をリモートアクセス、コントロールするシステムにおいて、ＩＤナンバー，パスワードなどの煩雑な入力操作を簡略化するために、携帯電話の外部接続端子に着脱容易でＩＤナンバーとパスワードを記憶したメモリーを持ち、携帯電話の簡単なボタン操作でメモリー内容を携帯電話から発信することができる機能を持った短縮キー装置を用いて構成された機器類の遠隔操作システムが開示されている。
【０００４】
下記の特許文献２には、多数の電灯または家電製品その他の負荷端に対して任意設定した設定時刻に一斉に自動オン／オフできるようにするために、所望の設定時刻を入力する機能選択・時間入力部と、制御信号を出力するコントローラと、コントローラに設けられ機能選択・時間入力部で入力された設定時刻までをカウントする時間カウント部およびアラームカウント部と、現在時刻および設定時刻を表示する時間表示部と、コントローラの制御信号に従ってアラーム音を発生するアラーム発生部と、コントローラの制御信号を増幅し、この増幅された信号に応じて負荷端をオン／オフする増幅・スイッチング部と、交流電源を整流しかつ充電してコントローラに電源供給する整流充電部とから構成されるタイマー装置が開示されている。
【先行技術文献】
【特許文献】
【０００５】
【特許文献１】特開２００３−０７８６３４号公報
【特許文献２】登録実用新案第３０２５６２０号公報
【発明の概要】
【発明が解決しようとする課題】
【０００６】
しかしながら、上述した住宅内情報監視・制御装置では、Ｗｅｂブラウザで住宅内情報監視・制御装置にログインすると、Ｗｅｂページ上に常に表示されるメインメニュー内には［メール送信・解除］メニューがあり、ユーザはこのメニューをクリックすると、現在の状態（イベント発生時にメールを送信する／しない）を知ることができ、状態を変更することができるが、メインメニューをクリックしない限り、現在の状態を知ったり状態を変更したりすることができない。
また、機能を向上させるために、家庭内の照明機器やＨＡ端子付家電製品のオン／オフ制御をタイマーにより行わせるタイマー動作機能や、ユーザがセンサ連動動作について複数の動作モードを設定してセンサの反応に連動させて制御対象機器を動作させるセンサ連動動作機能を追加したいという要請があるが、そうするためには、センサ連動動作の複数の動作モードおよびタイマーの動作／停止を簡単に切り替えることができる手段が必要となる。
【０００７】
本発明の目的は、センサ連動動作の複数の動作モードおよびタイマーの動作／停止を簡単に切り替えることができる住宅内情報監視・制御装置および住宅内情報監視・制御方法を提供することにある。
【課題を解決するための手段】
【０００８】
本発明の第１の住宅内情報監視・制御装置は、家庭内の制御対象機器のオン／オフ制御をタイマーにより行わせるタイマー動作機能を備えた住宅内情報監視・制御装置であって、該住宅内情報監視・制御装置とネットワークを介して接続されたパーソナルコンピュータ（３０）によって該住宅内情報監視・制御装置にログインされると、該パーソナルコンピュータに常に表示されるメインメニュー内にタイマー動作の動作／停止の現在の状態を示す状態表示欄としてタイマー欄を表示した表示画面データを前記パーソナルコンピュータに送信する制御手段（１３）と、該制御手段からのタイマー動作切替指示信号に応じて前記タイマー動作の動作／停止を切り替えるタイマー制御手段（１４）とを具備し、前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされていることを特徴とする。
本発明の第２の住宅内情報監視・制御装置は、センサの反応に連動させて家庭内の制御対象機器を動作させるセンサ連動動作機能を備えた住宅内情報監視・制御装置であって、該住宅内情報監視・制御装置とネットワークを介して接続されたパーソナルコンピュータ（３０）によって該住宅内情報監視・制御装置にログインされると、該パーソナルコンピュータに常に表示されるメインメニュー内にセンサ連動動作の動作モードの現在の状態を示す状態表示欄として動作モード欄を表示した表示画面データを前記パーソナルコンピュータに送信する制御手段（１３）と、前記制御手段からの動作モード切替指示信号に応じて前記センサ連動動作の動作モードを切り替える動作モード制御手段（１５）とを具備し、前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされていることを特徴とする。
本発明の第３の住宅内情報監視・制御装置は、家庭内の制御対象機器のオン／オフ制御をタイマーにより行わせるタイマー動作機能およびセンサの反応に連動させて家庭内の制御対象機器を動作させるセンサ連動動作機能を備えた住宅内情報監視・制御装置であって、該住宅内情報監視・制御装置とネットワークを介して接続されたパーソナルコンピュータ（３０）によって該住宅内情報監視・制御装置にログインされると、該パーソナルコンピュータに常に表示されるメインメニュー内にセンサ連動動作の動作モードおよびタイマー動作の動作／停止の現在の状態を示す状態表示欄として動作モード欄およびタイマー欄を表示した表示画面データを前記パーソナルコンピュータに送信する制御手段（１３）と、該制御手段からのタイマー動作切替指示信号に応じて前記タイマー動作の動作／停止を切り替えるタイマー制御手段（１４）と、前記制御手段からの動作モード切替指示信号に応じて前記センサ連動動作の動作モードを切り替える動作モード制御手段（１５）とを具備し、前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされており、前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされていることを特徴とする。
ここで、本発明の第１および第３の住宅内情報監視・制御装置においては、前記タイマー制御手段が、前記パーソナルコンピュータから設定された開始時刻および終了時刻を所定の時間の範囲内でランダムに変更して動作開始時刻および動作終了時刻を決定し、前記制御手段が、前記タイマー動作の動作／停止の現在の状態が「動作」である場合には、前記タイマー制御手段により決定された動作開始時刻および動作終了時刻に前記制御対象機器のオン／オフ制御を行ってもよい。
【０００９】
本発明の第１の住宅内情報監視・制御方法は、家庭内の制御対象機器のオン／オフ制御をタイマーにより行わせるタイマー動作機能を備えた住宅内情報監視・制御装置（１）を用いて前記制御対象機器のオン／オフ制御を行う住宅内情報監視・制御方法であって、前記住宅内情報監視・制御装置とネットワークを介して接続されたパーソナルコンピュータ（３０）によって該住宅内情報監視・制御装置にログインするステップと、前記住宅内情報監視・制御装置の制御手段（１３）が、前記パーソナルコンピュータに常に表示されるメインメニュー内にタイマー動作の動作／停止の現在の状態を示す状態表示欄としてタイマー欄を表示した表示画面データを前記パーソナルコンピュータに送信するステップと、前記住宅内情報監視・制御装置のタイマー制御手段（１４）が、前記制御手段からのタイマー動作切替指示信号に応じて前記タイマー動作の動作／停止を切り替えるステップとを具備し、前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされていることを特徴とする。
本発明の第２の住宅内情報監視・制御方法は、センサの反応に連動させて家庭内の制御対象機器を動作させるセンサ連動動作機能を備えた住宅内情報監視・制御装置（１）を用いて該センサの反応に連動させて該制御対象機器を動作させる住宅内情報監視・制御方法であって、前記住宅内情報監視・制御装置とネットワークを介して接続されたパーソナルコンピュータ（３０）によって該住宅内情報監視・制御装置にログインするステップと、前記住宅内情報監視・制御装置の制御手段（１３）が、前記パーソナルコンピュータに常に表示されるメインメニュー内にセンサ連動動作の動作モードの現在の状態を示す状態表示欄として動作モード欄を表示した表示画面データを前記パーソナルコンピュータに送信するステップと、前記住宅内情報監視・制御装置の動作モード制御手段（１５）が、前記制御手段からの動作モード切替指示信号に応じて前記センサ連動動作の動作モードを切り替えるステップとを具備し、前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされていることを特徴とする。
本発明の第３の住宅内情報監視・制御方法は、家庭内の制御対象機器のオン／オフ制御をタイマーにより行わせるタイマー動作機能およびセンサの反応に連動させて家庭内の制御対象機器を動作させるセンサ連動動作機能を備えた住宅内情報監視・制御装置（１）を用いて前記制御対象機器のオン／オフ制御を行うとともに前記センサの反応に連動させて前記制御対象機器を動作させる住宅内情報監視・制御方法であって、該住宅内情報監視・制御装置とネットワークを介して接続されたパーソナルコンピュータ（３０）によって該住宅内情報監視・制御装置にログインするステップと、前記住宅内情報監視・制御装置の制御手段（１３）が、前記パーソナルコンピュータに常に表示されるメインメニュー内にセンサ連動動作の動作モードおよびタイマー動作の動作／停止の現在の状態を示す状態表示欄として動作モード欄およびタイマー欄を表示した表示画面データを前記パーソナルコンピュータに送信するステップと、前記住宅内情報監視・制御装置のタイマー制御手段（１４）が、前記該制御手段からのタイマー動作切替指示信号に応じて前記タイマー動作の動作／停止を切り替えるステップと、前記住宅内情報監視・制御装置の動作モード制御手段（１５）が、前記制御手段からの動作モード切替指示信号に応じて前記センサ連動動作の動作モードを切り替えるステップとを具備し、前記センサ連動動作の動作モードの現在の状態が前記動作モード欄にハイライト表示され、該センサ連動動作の動作モードの他の状態が該動作モード欄にシャドウ表示されるとともに前記住宅内情報監視・制御装置にハイパーリンクされており、前記タイマー欄には、前記タイマー動作の動作／停止の現在の状態が前記タイマー欄にハイライト表示され、該タイマー動作の動作／停止の他の状態が該タイマー欄にシャドウ表示されるとともに前記住宅内情報監視・制御装置にハイパーリンクされていることを特徴とする。
ここで、本発明の第１および第３の住宅内情報監視・制御方法においては、前記制御対象機器をオンする時刻である開始時刻および該制御対象機器をオフする時刻である終了時刻を前記パーソナルコンピュータから設定する第１のステップと、前記タイマー制御手段が、前記開始時刻および前記終了時刻を所定の時間の範囲内でランダムに変更して動作開始時刻および動作終了時刻を決定する第２のステップと、前記制御手段が、前記タイマー動作の動作／停止の現在の状態が「動作」である場合には、前記タイマー制御手段により決定された動作開始時刻および動作終了時刻に前記制御対象機器のオン／オフ制御を行う第３のステップとをさらに具備してもよい。
【発明の効果】
【００１０】
本発明の住宅内情報監視・制御装置および住宅内情報監視・制御方法は、以下の効果を奏する。
（１）センサ連動動作の動作モードおよびタイマー動作の他の状態をシャドウ表示するとともに住宅内情報監視・制御装置にハイパーリンクすることにより、シャドウ表示された部分をクリックするだけでセンサ連動動作の複数の動作モードおよびタイマーの動作／停止を簡単に切り替えることができる。
（２）タイマーの動作／停止の現在の状態が「動作」である場合には、開始時刻および終了時刻を所定の時間の範囲内でランダムに変更して動作開始時刻および動作終了時刻を決定することにより、制御対象機器を毎日異なる時刻にオン／オフさせることができるので、悪意ある第三者に自動操作であることが悟られることなく制御対象機器をタイマー設定により自動的にオン／オフ制御することができる。
（３）また、決定した動作開始時刻および動作終了時刻が前日の動作開始時刻および動作終了時刻と比較して所定時間未満しか違わない場合には、所定時間以上違ってくるように開始ランダム時間および終了ランダム時間の範囲内で開始時刻および終了時刻をランダムに変更して動作開始時刻および動作終了時刻をそれぞれ決定し直すことにより、より自然に制御対象機器がオン／オフされたように見せかけることができるので、悪意ある第三者に自動操作であることが悟られることをより防止することができる。
（４）さらに、タイマー制御手段により決定された動作開始時刻および動作終了時刻に制御対象機器のオン／オフ制御を行うことにより、インターネットに接続された携帯電話などでユーザ自身が手動で制御対象機器を操作することなく自動的にオン／オフさせることができるので、操作のし忘れなどをなくすことができる。
（５）さらにまた、パーソナルコンピュータに表示されたタイマー設定画面を参照して入力されたタイマー動作設定データを住宅内情報監視・制御装置に送信することにより、ユーザは現地に赴いてハードウエアの設定を行ったりシーケンサ専用言語などを学習したりする必要なく、簡単に短時間でタイマー動作に必要なデータを設定することができる。
【図面の簡単な説明】
【００１１】
【図１】本発明の一実施例による住宅内情報監視・制御装置の構成を示す図である。
【図２】メインメニューが表示された画面の一例を示す図である。
【図３】タイマー設定画面の一例を示す図である。
【図４】センサ連動設定画面の一例を示す図である。
【図５】住宅内情報監視・制御装置１のタイマー設定動作を説明するためのフローチャートである。
【図６】住宅内情報監視・制御装置１のオン／オフ制御動作を説明するためのフローチャートである。
【図７】住宅内情報監視・制御装置１のセンサ連動設定動作を説明するためのフローチャートである。
【図８】住宅内情報監視・制御装置１のセンサ連動動作を説明するためのフローチャートである。
【図９】住宅内情報監視・制御装置１の切替動作を説明するためのフローチャートである。
【発明を実施するための形態】
【００１２】
センサ連動動作の複数の動作モードおよびタイマーの動作／停止を簡単に切り替えるという目的を、パーソナルコンピュータに常に表示されるメインメニュー内にセンサ連動動作の動作モードおよび／またはタイマー動作の動作／停止の現在の状態を示す状態表示欄として動作モード欄および／またはタイマー欄を表示した表示画面データをパーソナルコンピュータに送信して表示させ、センサ連動動作の動作モードおよびタイマー動作の動作／停止の現在の状態を動作モード欄およびタイマー欄にハイライト表示し、センサ連動動作の動作モードおよびタイマー動作の他の状態を動作モード欄およびタイマー欄にシャドウ表示するとともに住宅内情報監視・制御装置にハイパーリンクすることにより実現した。
【実施例１】
【００１３】
以下、本発明の住宅内情報監視・制御装置および住宅内情報監視・制御方法の実施例について、図面を参照して説明する。
本発明の一実施例による住宅内情報監視・制御装置１は、図１に示すように、信号入力部１１と、信号出力部１２と、制御部１３と、タイマー制御部１４と、動作モード制御部１５と、データ送受信部１６と、メモリ１７（フラッシュメモリなど）とを具備する。
なお、信号入力部１１、信号出力部１２、制御部１３、タイマー制御部１４、動作モード制御部１５およびデータ送受信部１６は、ディジタル回路やアナログ回路で構成してもよいし、ＣＰＵ（中央処理装置）とソフトウエア（プログラム）とで構成してもよい。後者の場合には、ＣＰＵに動作を行わせるためのプログラムをメモリ１７または他のメモリに格納しておけばよい。
【００１４】
住宅内情報監視・制御装置１はまた、火災センサ、電流センサおよび接点出力付センサ（ガスセンサや人感センサなどのａ接点またはｂ接点出力付きのセンサ）などからのセンサ信号が入力されるセンサ信号入力端子２１と、ＡＣ１００Ｖで動作する照明機器などの負荷機器のオン／オフを制御する負荷機器オン／オフ制御信号が出力されるリレー端子２２と、エアコンなどのＨＡ端子付機器のオン／オフなどを制御するＨＡ端子付機器用制御信号およびＨＡ端子付機器オン／オフ制御信号が出力されるＨＡ信号出力端子２３と、防犯ブザーなどの接点入力付機器への接点信号が出力される接点信号出力端子２４と、インターネットなどのネットワークを介してパーソナルコンピュータ３０（以下、「パソコン３０」と称する。）やネットワークカメラなどに接続されるＬＡＮ端子２５とを具備する。なお、センサ信号入力端子２１、リレー端子２２、ＨＡ信号出力端子２３および接点信号出力端子２４は、１個ずつであってもよいが、複数のセンサ、負荷機器、ＨＡ端子付機器および接点入力付機器の制御が行えるように複数個ずつであってもよい。
【００１５】
信号入力部１１は、センサ信号入力端子２１に接続されたセンサから入力されるセンサ信号を制御部１３に出力する。
信号出力部１２は、制御部１３から入力される負荷機器オン／オフ制御信号、ＨＡ端子付機器用制御信号、ＨＡ端子付機器オン／オフ制御信号および接点信号をリレー端子２２、ＨＡ信号出力端子２３および接点信号出力端子２４を介して負荷機器、ＨＡ端子付機器および接点入力付機器にそれぞれ出力する。
【００１６】
制御部１３は、以下に示すような制御などを行う。
（１）メインメニューの表示制御
ユーザがパソコン３０からネットワークを介してＷｅｂブラウザで住宅内情報監視・制御装置１にログインすると、制御部１３は、Ｗｅｂページ上に常に表示されるメインメニュー内にセンサ連動動作の動作モードおよびタイマーの動作／停止の現在の状態を示す状態表示欄として動作モード欄およびタイマー欄を表示した表示画面データをメモリ１７から読み出して、読み出した表示画面データをパソコン３０にデータ送受信部１６を介して送信する。
ここで、センサ連動動作の動作モードおよびタイマーの動作／停止の現在の状態は動作モード欄およびタイマー欄にハイライト表示され、センサ連動動作の動作モードおよびタイマーの動作／停止の他の状態は動作モード欄およびタイマー欄にシャドウ表示されるとともに住宅内情報監視・制御装置１にハイパーリンクされている。たとえば、メインメニューが表示された画面の一例を示す図２に示すように、センサ連動動作の動作モードが「外出モード」および「在宅モード」の２つである場合には、センサ連動動作の動作モードの現在の状態である「外出モード」が動作モード欄にハイライト表示され、センサ連動動作の動作モードの他の状態である「在宅モード」および「停止」が動作モード欄にシャドウ表示されるとともに住宅内情報監視・制御装置１にハイパーリンクされている。また、タイマーの動作／停止の現在の状態である「動作」がタイマー欄にハイライト表示され、タイマーの動作／停止の他の状態である「停止」がタイマー欄にシャドウ表示されるとともに住宅内情報監視・制御装置１にハイパーリンクされている。
【００１７】
（２）センサ連動動作の動作モードおよびタイマーの動作／停止の切替制御
上述したように動作モード欄およびタイマー欄ではセンサ連動動作の動作モードおよびタイマーの動作／停止の他の状態はハイパーリンクされているため、ユーザがシャドウ表示されている他の状態をクリックすると、制御部１３は、センサ連動動作の動作モードを現在の状態（現在の動作モード）から他の状態（他の動作モードまたは「停止」）に切り替えるように指示する動作モード切替指示信号を動作モード制御部１５に出力し、タイマーの動作／停止を切り替えるように指示するタイマー動作切替指示信号をタイマー制御部１４に出力する。
たとえば、ユーザがセンサ連動動作の動作モードを「外出モード」から「在宅モード」に切り替えたい場合には、動作モード欄にシャドウ表示されている「在宅モード」をクリックすると、制御部１３は、センサ連動動作の動作モードを「外出モード」から「在宅モード」に切り替えるように指示する動作モード切替指示信号を動作モード制御部１５に出力する。同様に、ユーザが、タイマーを「動作」から「停止」に切り替えたい場合には、タイマー欄内にシャドウ表示されている「停止」をクリックすると、制御部１３は、タイマーの動作／停止を「動作」から「停止」に切り替えるように指示するタイマー動作切替指示信号をタイマー制御部１４に出力する。
【００１８】
（３）タイマー動作制御
タイマーの動作／停止が「動作」に切り替えられている場合には、メモリ１７に格納されているオン／オフ制御テーブルに基づいて負荷機器オン／オフ制御信号を生成して、生成した負荷機器オン／オフ制御信号を信号出力部１２に出力することにより、リレー端子２２に接続された負荷機器のオン／オフ制御を行う。
また、タイマーの動作／停止が「動作」に切り替えられている場合には、メモリ１７に格納されているオン／オフ制御テーブルに基づいてＨＡ端子付機器オン／オフ制御信号を生成して、生成したＨＡ端子付機器オン／オフ制御信号を信号出力部１２に出力することにより、ＨＡ信号出力端子２３に接続されたＨＡ端子付機器のオン／オフ制御を行う。
【００１９】
（４）センサ連動動作制御
センサ連動動作の動作モードの現在の状態が「停止」以外である場合には、センサの反応を示すセンサ信号が信号入力部１１から入力されると、動作モード制御部１５に現在の状態（現在の動作モード）に対応するセンサ連動設定テーブルをメモリ１７から読み出させたのち、読み出させたセンサ連動設定テーブルに基づいて連動対象機器制御信号を生成して、生成した連動対象機器制御信号を信号出力部１２に出力することにより、リレー端子２２、ＨＡ信号出力端子２３および接点信号出力端子２４に接続された負荷機器、ＨＡ端子付機器および接点入力付機器の制御を行う。また、センサ連動設定テーブルの「お知らせ」の項目が「あり」とされている場合には、センサに反応がある状態に状態変化した旨を示す電子メールを作成し、作成した電子メールを所定の電子メールアドレス（メモリ１７に格納されている。）にデータ送受信部１６を介して送信する。
【００２０】
（５）ＨＡ端子付機器のオン／オフ以外の制御
たとえば住宅内情報監視・制御装置１がＨＡ端子付機器とエコーネットのような設備系ネットワークで接続されている場合には、メモリ１６に格納されているＨＡ端子付機器用制御テーブルに基づいてエコーネット対応のＨＡ端子付機器用制御信号を生成して、生成したＨＡ端子付機器用制御信号を信号出力部１２に出力することにより、ＨＡ端子付機器のオン／オフ以外の制御も行う。
【００２１】
（６）センサ反応状態変化時の制御
センサ信号入力端子２１を介して入力される接点出力付機器からのセンサ信号に基づいて、センサ反応がない状態からセンサに反応がある状態に状態変化したときに、この状態変化をトリガとして、その旨を示す電子メールやセンサチェック画面を作成し、作成した電子メールを所定の電子メールアドレス（メモリ１７に格納されている。）にデータ送受信部１６を介して送信したり、作成したセンサチェック画面をパソコン３０にデータ送受信部１６を介して送信したりする。
【００２２】
（７）画像データ取込み制御
ＬＡＮ端子２４に接続されたネットワークカメラからイベント発生時（訪問者があった時など）に入力される画像データを取り込んで保存する。
【００２３】
タイマー制御部１４は、制御部１３の制御の下、メモリ１７に格納されているタイマー設定画面データを読み出して、読み出したタイマー設定画面データをパソコン３０にデータ送受信部１６を介して送信する。
【００２４】
ここで、タイマー設定画面データによって表わされるタイマー設定画面は、図３に一例を示すように、制御対象機器、動作曜日、動作回数、開始時刻、開始ランダム時間、終了時刻、終了ランダム時間および動作（オンまたはオフ）の各項目についてユーザに入力または選択させる画面となっている。また、タイマー設定画面の図示の右下には、現在のタイマー動作の設定状況を示す表が表示される。
【００２５】
タイマー制御部１４は、パソコン３０からデータ送受信部１６を介して入力されるタイマー動作設定データに基づいてオン／オフ制御テーブルを更新して、更新したオン／オフ制御テーブルをメモリ１７に格納する。
【００２６】
このとき、タイマー制御部１４は、タイマー動作設定データとして開始ランダム時間および終了ランダム時間が設定されている場合には、以下に示すようなランダム時間設定規則に従って制御対象機器の動作開始時刻および動作終了時刻を決定する。
（１）タイマー動作設定データとして設定されている開始時刻および終了時刻を開始ランダム時間および終了ランダム時間の範囲内で乱数により変更することにより、制御対象機器の動作開始時刻および動作終了時刻を決定する。
（２）ただし、このようにして決定した動作開始時刻および動作終了時刻が前日の動作開始時刻および動作終了時刻と比較して所定時間（たとえば、３０分）未満しか違わない場合には、所定時間（たとえば、３０分）以上違ってくるように開始ランダム時間および終了ランダム時間の範囲内で乱数により制御対象機器の動作開始時刻および動作終了時刻をそれぞれ決定し直す。
【００２７】
タイマー制御部１４は、制御部１３からタイマー動作指示信号が入力されると、メモリ１７からオン／オフ制御テーブルを読み出して、読み出したオン／オフ制御テーブルを制御部１３に出力する。また、タイマー制御部１４は、制御部１３からタイマー動作切替指示信号が入力されると、タイマーの動作／停止の切替を行う。
【００２８】
動作モード制御部１５は、制御部１３の制御の下、メモリ１７に格納されている動作モード設定画面データを読み出して、読み出した動作モード設定画面データをパソコン３０にデータ送受信部１６を介して送信する。
ここで、動作モード設定画面データによって表わされる動作モード設定画面は、図４に一例を示すように、動作モード、センサ、連動対象、連動遅延、動作、継続時間、お知らせの各項目についてユーザに入力または選択させる画面となっている。
【００２９】
動作モード制御部１５は、パソコン３０からデータ送受信部１６を介して入力される動作モード設定データに基づいてセンサ連動設定テーブルを更新して、更新したセンサ連動設定テーブルをメモリ１７に格納する。なお、センサ連動設定テーブルは、動作モードごとにメモリ１７に格納される。
【００３０】
動作モード制御部１５は、制御部１３から動作モード開始指示信号が入力されると、現在の動作モードに対応するセンサ連動設定テーブルを読み出して制御部１３に出力する。また、動作モード制御部１５は、制御部１３から動作モード切替指示信号が入力されると、動作モード切替指示信号によって表わされる新たな動作モードに現在の動作モードを切り替える。
【００３１】
データ送受信部１６は、住宅内情報監視・制御装置１とパソコン３０やネットワークカメラなどとの間のネットワークを介したデータなどの送受信を行う。
【００３２】
次に、本実施例による住宅内情報監視・制御装置１の動作（本発明の一実施例による住宅内情報監視・制御方法）について、図面を参照して説明する。
まず、タイマー動作の設定を行うときの住宅内情報監視・制御装置１のタイマー設定動作について、説明の簡単のため、リレー端子２２に接続されたリビング照明装置を月曜日の２１時から２２時までランダム設定指示ありで１回だけオンさせる場合を例として、図５に示すフローチャートを参照して説明する。
【００３３】
タイマー動作の設定を行う場合には、ユーザはタイマー動作設定要求信号をパソコン３０からネットワークを介して住宅内情報監視・制御装置１に送信する。
住宅内情報監視・制御装置１の制御部１３は、データ送受信部１６を介してタイマー動作設定要求信号を受信すると、タイマー設定画面データをパソコン３０に送信するように指示するタイマー設定画面送信指示信号をタイマー制御部１４に出力する。
タイマー制御部１４は、制御部１３から入力されるタイマー設定画面送信指示信号に応じて、メモリ１７に格納されているタイマー設定画面データを読み出して、読み出したタイマー設定画面データをパソコン３０にデータ送受信部１６を介して送信する。
これにより、タイマー設定画面（図３参照）がパソコン３０に表示される（以上、ステップＳ１１）。
【００３４】
ユーザは、パソコン３０に表示されたタイマー設定画面を参照して、制御対象機器、動作曜日、動作回数、開始時刻、開始ランダム時間、終了時刻、終了ランダム時間および動作（オンまたはオフ）の各項目について入力または選択することにより、タイマー動作設定データを入力する（ステップＳ１２）。
なお、開始ランダム時間および終了ランダム時間を設定しない場合には、ユーザは、開始ランダム時間および終了ランダム時間として「０時間」をそれぞれ入力する。また、動作「オフ」は、常時オンしている制御対象機器を一定時間だけオフする場合に選択されるものである。
【００３５】
この例の場合には、ユーザは、図３に示すように、制御対象機器として「リビング照明装置」を入力し、動作曜日として「月曜日」を選択し、選択した曜日における動作回数として「１回のみ動作」を選択し、開始時刻として「２１時００分」を入力し、開始ランダム時間として「１時間」を入力し、終了時刻として「２２時００分」を入力し、終了ランダム時間として「１時間」を入力し、動作として「オン」を選択する。
このとき、ユーザは、各項目について、キーボードやマウスを用いて直接に入力および選択してもよいし、プルダウンメニューにより入力および選択してもよい。
【００３６】
その後、ユーザがタイマー設定画面の図３図示左下の「設定」ボタンをクリックすると、ユーザによって入力されたタイマー動作設定データがパソコン３０からネットワークを介して住宅内情報監視・制御装置１に送信される（ステップＳ１３）。
【００３７】
住宅内情報監視・制御装置１のタイマー制御部１４は、データ送受信部１６を介してタイマー動作設定データを受信すると、受信したタイマー動作設定データに基づいて制御対象機器の動作開始時刻および動作終了時刻を決定するが、開始ランダム時間および終了ランダム時間が設定されている場合には、上述したランダム時間設定規則に従って制御対象機器の動作開始時刻および動作終了時刻を決定する（ステップＳ１４）。
【００３８】
この例の場合には、開始時刻として「２１時００分」が設定され、終了字時刻として「２２時００分」が設定され、開始ランダム時間として「１時間」が設定され、かつ、終了ランダム時間として「１時間」が設定されているため、タイマー制御部１４は、たとえば、リビング照明装置の動作開始時刻として「２１時３９分」と決定し、動作終了時刻として「２２時１１分」と決定する。
【００３９】
その後、タイマー制御部１４は、メモリ１７からオン／オフ制御テーブルを読み出して、タイマー動作設定データによって示される制御対象機器、動作、動作回数および動作曜日と決定した動作開始時刻および動作終了時刻とを書き込むことによりオン／オフ制御テーブルを更新したのち、更新したオン／オフ制御テーブルをメモリ１７に格納する（ステップＳ１５）。
【００４０】
この例の場合には、制御対象機器として「リビング照明装置」が設定され、動作曜日として「月曜日」が設定され、動作回数として「１回のみ動作」が設定され、かつ、動作として「オン」が設定されているため、タイマー制御部１４は、制御対象機器「リビング照明装置」、動作「オン」、動作回数「１回のみ動作」、動作曜日「月曜日」、動作開始時刻「２１時３９分」および動作終了時刻「２２時１１分」を書き込むことにより、オン／オフ制御テーブルを更新する。
【００４１】
次に、住宅内情報監視・制御装置１のオン／オフ制御動作について、図６に示すフローチャートを参照して説明する。
住宅内情報監視・制御装置１の制御部１３は、メモリ１７に格納されているオン／オフ制御テーブルを参照して、動作開始時刻および動作終了時刻が設定されている制御対象機器（負荷機器およびＨＡ端子付機器）があるか否かを調べ（ステップＳ２１）、動作開始時刻および動作終了時刻が設定されている制御対象機器がある場合には、リアルタイムクロック（内部時計）で現在の曜日および時刻を監視する（ステップＳ２２）。
【００４２】
この例の場合には、リビング照明装置について動作曜日「月曜日」、動作開始時刻「２１時３９分」および動作終了時刻「２２時１１分」が設定されているため、制御部１３は、リアルタイムクロックで現在の曜日および時刻を監視する。
【００４３】
制御部１３は、設定された動作曜日の動作開始時刻になると、制御対象機器である負荷機器またはＨＡ端子付機器をオンさせる負荷機器オン／オフ制御信号またはＨＡ端子付機器オン／オフ制御信号を生成して、生成した負荷機器オン／オフ制御信号またはＨＡ端子付機器オン／オフ制御信号を負荷機器またはＨＡ端子付機器に信号出力部１２を介して出力する（ステップＳ２３）。
【００４４】
この例の場合には、制御部１３は、月曜日の２１時３９分になると、リビング照明装置をオンさせる負荷機器オン／オフ制御信号を生成して、生成した負荷機器オン／オフ制御信号をリビング照明装置に信号出力部１２を介して出力する。これにより、リビング照明装置がオンされる。
【００４５】
その後、制御部１３は、リアルタイムクロックで現在の曜日および時刻を監視し続け（ステップＳ２２）、設定された動作曜日の動作終了時刻になると、制御対象機器である負荷機器またはＨＡ端子付機器をオフさせる負荷機器オン／オフ制御信号またはＨＡ端子付機器オン／オフ制御信号を生成して、生成した負荷機器オン／オフ制御信号およびＨＡ端子付機器オン／オフ制御信号を負荷機器またはＨＡ端子付機器に信号出力部１２を介して出力する（ステップＳ２３）。
【００４６】
この例の場合には、制御部１３は、月曜日の２２時１１分になると、リビング照明装置をオフさせる負荷機器オン／オフ制御信号を生成して、生成した負荷機器オン／オフ制御信号をリビング照明装置に信号出力部１２を介して出力する。これにより、リビング照明装置がオフされる。
【００４７】
その後、制御部１３は、メモリ１７に格納されているオン／オフ制御テーブルを参照して、オン／オフ制御した制御対象機器（負荷機器およびＨＡ端子付機器）について設定されている動作回数が終了したか否かを調べる（ステップＳ２４）。
【００４８】
オン／オフ制御した制御対象機器の動作回数として「毎週動作」が設定されている場合には、制御部１３は、ステップＳ２２に戻って、曜日および時刻を監視し続ける。
一方、オン／オフ制御した制御対象機器の動作回数として「１回のみ動作」が設定されている場合には、制御部１３は、オン／オフ制御テーブルをメモリ１７から読み出して、オン／オフ制御した制御対象機器に関する動作、動作回数、動作曜日、動作開始時刻および動作終了時刻を削除することによりオン／オフ制御テーブルを更新したのち、更新したオン／オフ制御テーブルをメモリ１７に格納する（ステップＳ２５）。
【００４９】
この例の場合には、リビング照明装置の動作回数として「１回のみ動作」が設定されているため、制御部１３は、負荷機器オン／オフ制御テーブルをメモリ１７から読み出して、オン／オフ制御したリビング照明装置に関する動作「オン」、動作回数（１回のみ動作）、動作曜日（月曜日）、動作開始時刻（２１時３９分）および動作終了時刻（２２時１１分）を削除することによりオン／オフ制御テーブルを更新する。
【００５０】
その後、制御部１３は、動作開始時刻および動作終了時刻が設定されている制御対象機器すべてについてのオン／オフ制御が終了するまでステップＳ２２〜Ｓ２５までの動作を繰り返す（ステップＳ２６）。
【００５１】
以上に説明においては、タイマー制御部１４は、開始ランダム時間および終了ランダム時間が設定されている場合には、乱数により動作開始時刻および動作終了時刻を決定したが、乱数以外の方法により動作開始時刻および動作終了時刻を決定してもよい。
また、ユーザに開始ランダム時間および終了ランダム時間を設定させたが、ユーザには開始ランダム時間および終了ランダム時間の設定をするか否かだけを入力させて、「開始ランダム時間および終了ランダム時間の設定をする」旨を表わすランダム設定指示データがパソコン３０から送信されてきた場合に、タイマー制御部１４が、所定の時間の範囲内で開始時刻および終了時刻を乱数などにより変更して動作開始時刻および動作終了時刻を決定してもよい。
【００５２】
次に、センサ連動動作の設定を行うときの住宅内情報監視・制御装置１のセンサ連動設定動作について、説明の簡単のため、センサ信号入力端子２１に接続された玄関人感センサおよび室内人感センサの反応に連動させて、接点信号出力端子２４に接続された防犯ブザーを連動遅延０分で１分間鳴らすとともに所定の電子メールアドレスに送信することを動作モード「外出モード」として登録し、センサ信号入力端子２１に接続された室内人感センサの反応に連動させて、接点信号出力端子２４に接続された防犯ブザーを連動遅延０分で３分間鳴らすが所定の電子メールアドレスには送信しないことを動作モード「在宅モード」として登録する場合を例として、図７に示すフローチャートを参照して説明する。
【００５３】
センサ連動動作の設定を行う場合には、ユーザはセンサ連動設定要求信号をパソコン３０からネットワークを介して住宅内情報監視・制御装置１に送信する。
住宅内情報監視・制御装置１の制御部１３は、データ送受信部１６を介してセンサ連動設定要求信号を受信すると、センサ連動設定画面データをパソコン３０に送信するように指示するセンサ連動設定画面送信指示信号を動作モード制御部１５に出力する。
動作モード制御部１５は、制御部１３から入力されるセンサ連動設定画面送信指示信号に応じて、メモリ１７に格納されているセンサ連動設定画面データを読み出して、読み出したセンサ連動設定画面データをパソコン３０にデータ送受信部１６を介して送信する。
これにより、センサ連動設定画面（図４参照）がパソコン３０に表示される（以上、ステップＳ３１）。
【００５４】
ユーザは、パソコン３０に表示されたセンサ連動設定画面を参照して、動作モード、センサ、連動対象、連動遅延、動作、継続時間およびお知らせの各項目について入力または選択することにより、センサ連動設定データを入力する（ステップＳ３２）。
【００５５】
この例の場合には、ユーザは、玄関人感センサに連動させる外出モードを登録するために、図４に示すように、動作モードとして「外出モード」を入力し、センサとして「玄関人感センサ」を選択し、連動対象として「防犯ブザー」を選択し、連動遅延として「０分」を選択し、動作として「オン」を選択し、継続時間として「１分」を入力し、お知らせとして「あり」を選択する。
このとき、ユーザは、各項目について、キーボードやマウスを用いて直接に入力および選択してもよいし、プルダウンメニューにより入力および選択してもよい。
【００５６】
その後、ユーザがセンサ連動設定画面の図４図示下中央の「登録」ボタンをクリックすると、ユーザによって入力されたセンサ連動設定データがパソコン３０からネットワークを介して住宅内情報監視・制御装置１に送信される（ステップＳ３３）。
【００５７】
住宅内情報監視・制御装置１の動作モード制御部１５は、データ送受信部１６を介してセンサ連動設定データを受信すると、受信したセンサ連動設定データに基づいてセンサ連動設定テーブルを作成して、作成したセンサ連動設定テーブルを動作モード「外出モード」と対応させてメモリ１７に格納する（ステップＳ３４）。
【００５８】
続いて、ユーザは、室内人感センサに連動させる外出モードを登録するために、同様にして、動作モードとして「外出モード」を入力し、センサとして「室内人感センサ」を選択し、連動対象として「防犯ブザー」を選択し、連動遅延として「０分」を選択し、動作として「オン」を選択し、継続時間として「１分」を入力し、お知らせとして「あり」を選択する。
その後、ユーザがセンサ連動設定画面の「登録」ボタンをクリックすると、ユーザによって入力されたセンサ連動設定データがパソコン３０からネットワークを介して住宅内情報監視・制御装置１に送信される。
動作モード制御部１５は、データ送受信部１６を介してセンサ連動設定データを受信すると、受信したセンサ連動設定データに基づいてセンサ連動設定テーブルを作成して、作成したセンサ連動設定テーブルを動作モード「外出モード」と対応させてメモリ１７に格納する。
【００５９】
続いて、ユーザは、在宅モードを登録するために、動作モードとして「在宅モード」を入力し、センサとして「室内人感センサ」を選択し、連動対象として「防犯ブザー」を選択し、連動遅延として「０分」を選択し、動作として「オン」を選択し、継続時間として「３分」を入力し、お知らせとして「なし」を選択する（ステップＳ３５，Ｓ３２）。
その後、ステップＳ３３およびステップＳ３４の動作が行われることにより、作成されたセンサ連動設定テーブルが動作モード「在宅モード」と対応させてメモリ１７に格納される。
【００６０】
次に、住宅内情報監視・制御装置１のセンサ連動動作について、センサ連動動作の現在の状態（以下、「現在の動作モード」とも称する。）が「外出モード」である場合を例として、図８に示すフローチャートを参照して説明する。
住宅内情報監視・制御装置１の制御部１３は、センサ信号入力端子２１に接続されているセンサ（この例の場合には、玄関人感センサまたは室内人感センサ）が反応したことを示すセンサ信号が入力されると、現在の動作モード（この例の場合には、外出モード）に対応するセンサ連動設定テーブルをメモリ１７から読み出すように動作モード制御部１５に指示するセンサ連動設定テーブル読出指示信号を動作モード制御部１５に出力する（ステップＳ４１）。
【００６１】
動作モード制御部１５は、センサ連動設定テーブル読出指示信号に応じて、現在の動作モードに対応するセンサ連動設定テーブルがメモリ１７に格納されているか否かを調べる（ステップＳ４２）。
その結果、現在の動作モードに対応するセンサ連動設定テーブルがメモリ１７に格納されている場合には、動作モード制御部１５は、センサ連動設定テーブルをメモリ１７から読み出して、読み出したセンサ連動設定テーブルを制御部１３に出力する（ステップＳ４３）。一方、現在の動作モードに対応するセンサ連動設定テーブルがメモリ１７に格納されていない場合には、動作モード制御部１５は、その旨を制御部１３に出力する（ステップＳ４４）。
【００６２】
制御部１３は、動作モード制御部１５からセンサ連動設定テーブルが入力されると、このセンサ連動設定テーブルに基づいて連動対象機器制御信号を生成して、生成した連動対象機器制御信号を信号出力部１２に出力することにより、リレー端子２２、ＨＡ信号出力端子２３および接点信号出力端子２４に接続された負荷機器、ＨＡ端子付機器および接点入力付機器の制御を行う（ステップＳ４５）。
また、センサ連動設定テーブルの「お知らせ」の項目が「あり」とされている場合には、制御部１３は、センサに反応がある状態に状態変化した旨を示す電子メールを作成し、作成した電子メールを所定の電子メールアドレス（メモリ１７に格納されている。）にデータ送受信部１６を介して送信する（ステップＳ４６）。
【００６３】
この例の場合には、制御部１３は、防犯ブザー（連動対象）を直ちに（連動遅延）１分間（継続時間）鳴らす（動作オン）連動対象機器制御信号を信号出力部１２に出力する。これにより、接点信号出力端子２４に接続された防犯ブザーは、玄関人感センサまたは室内人感センサの反応に応答して１分間鳴らされる。
また、制御部１３は、センサ連動設定テーブルの「お知らせ」の項目が「あり」とされているので、玄関人感センサに反応がある状態に状態変化した旨を示す電子メールを作成し、作成した電子メールを所定の電子メールアドレスにデータ送受信部１６を介して送信する。これにより、ユーザは、玄関人感センサまたは室内人感センサに反応があったことを知ることができる。
【００６４】
次に、ユーザがセンサ連動動作の動作モードおよびタイマーの動作／停止の切替を行う場合の住宅内情報監視・制御装置１の切替動作について、説明の簡単のため、センサ連動動作の動作モードとして「外出モード」および「在宅モード」が設定されているとともに、タイマーの動作／停止が「動作」に設定されている場合を例として、図９に示すフローチャートを参照して説明する。
【００６５】
センサ連動動作の動作モードおよびタイマーの動作／停止の切替を行う場合には、ユーザはパソコン３０から住宅内情報監視・制御装置１にネットワークを介してアクセスする。住宅内情報監視・制御装置１の制御部１３は、これに応じて、メモリ１７に格納されているログイン画面データを読み出して、読み出したログイン画面データをパソコン３０にデータ送受信部１６を介して送信する（ステップＳ５１）。これにより、ログイン画面がパソコン３０に表示される。
ユーザは、パソコン３０に表示されたログイン画面内の「ｅｎｔｅｒ」ボタンをクリックすることにより、住宅内情報監視・制御装置１にログインする。
【００６６】
これに応じて、制御部１３は、メモリ１７に格納されている基本設定ページ画面データを読み出して、読み出した基本設定ページ画面データをパソコン３０にデータ送受信部１６を介して送信する（ステップＳ５２）。これにより、動作モード欄およびタイマー欄を含むメインメニューが上部に表示された基本設定ページ画面が、パソコン３０に表示される。このとき、基本設定ページ画面に表示されたメインメニューの動作モード欄には、センサ連動動作の現在の状態が黄色でハイライト表示されるとともに、センサ連動動作の他の状態がグレイでシャドウ表示される。同様に、メインメニューのタイマー欄には、タイマーの動作／停止の現在の状態が黄色でハイライト表示されるとともに、タイマーの動作／停止の他の状態がグレイでシャドウ表示される。
【００６７】
この例の場合には、図２に示したように、メインメニューの動作モード欄には「外出モード」が黄色でハイライト表示されるとともに「在宅モード」および「停止」がグレイでシャドウ表示され、メインメニューのタイマー欄には「動作」が黄色でハイライト表示されるとともに「停止」がグレイでシャドウ表示される。
【００６８】
ユーザは、センサ連動動作の動作モードを現在の動作モード（外出モード）から他の動作モード（在宅モード）または「停止」に切り替える場合には、メインメニューの動作モード欄にグレイでシャドウ表示されている他の動作モード（在宅モード）または「停止」をクリックする（ステップＳ５３）。
【００６９】
シャドウ表示された他の動作モード（在宅モード）および「停止」はハイパーリンクとなっているため、制御部１３は、センサ連動動作の動作モードを現在の動作モード（外出モード）から他の動作モード（在宅モード）または「停止」に切り替えるように指示する動作モード切替指示信号を動作モード制御部１５に出力する。
また、制御部１３は、メインメニューの動作モード欄にハイライト表示されていた現在の動作モード（外出モード）をシャドウ表示に変更するとともにシャドウ表示されていた他の動作モード（在宅モード）または「停止」をハイライト表示に変更するハイライト／シャドウ切替信号をパソコン３０にデータ送受信部１６を介して送信する（以上、ステップＳ５４）。これにより、メインメニューの動作モード欄のハイライト表示およびシャドウ表示が変更される。
【００７０】
動作モード制御部１５は、制御部１３から入力される動作モード切替指示信号に応じて、センサ連動動作の動作モードを現在の動作モード（外出モード）から他の動作モード（在宅モード）または「停止」に切り替える（ステップＳ５５）。
【００７１】
ユーザは、タイマーの動作／停止を現在の状態（動作）から他の状態（停止）に切り替える場合には、メインメニューのタイマー欄にグレイでシャドウ表示されている他の状態（停止）をクリックする（ステップＳ５６）。
【００７２】
シャドウ表示された他の状態（停止）はハイパーリンクとなっているため、制御部１３は、タイマーの動作／停止を現在の状態（動作）から他の状態（停止）に切り替えるように指示するタイマー動作切替指示信号をタイマー制御部１４に出力する。
また、制御部１３は、メインメニューのタイマー欄にハイライト表示されていた現在の状態（動作）をシャドウ表示に変更するとともにシャドウ表示されていた他の状態（停止）をハイライト表示に変更するハイライト／シャドウ切替信号をパソコン３０にデータ送受信部１６を介して送信する（以上、ステップＳ５７）。これにより、メインメニューのタイマー欄のハイライト表示およびシャドウ表示が変更される。
【００７３】
タイマー制御部１４は、制御部１３から入力されるタイマー動作切替指示信号に応じて、タイマーの動作／停止を現在の状態（動作）から他の状態（停止）に切り替える（ステップＳ５８）。
【００７４】
以上の説明においては、住宅内情報監視・制御装置１は、タイマー動作機能およびセンサ連動動作機能の両方を備えたが、いずれか一方だけを備えていてもよい。
【産業上の利用可能性】
【００７５】
以上説明したように、本発明の住宅内情報監視・制御装置および住宅内情報監視・制御方法は、たとえば、インターネットなどのネットワークに接続可能なパーソナルコンピュータを用いてセンサ連動動作の動作モードの切替やタイマーの動作／停止の切替を行うのに利用することができる。
【符号の説明】
【００７６】
１  住宅内情報監視・制御装置
１１  信号入力部
１２  信号出力部
１３  制御部
１４  タイマー制御部
１５  動作モード制御部
１６  データ送受信部
１７  メモリ
２１  センサ信号入力端子
２２  リレー端子
２３  ＨＡ信号出力端子
２４  接点信号出力端子
２５  ＬＡＮ端子
Ｓ１１〜Ｓ１５，Ｓ２１〜Ｓ２６，Ｓ３１〜Ｓ３５，Ｓ４１〜Ｓ４４  ステップ
【図１】
2010110024.tif 000003
【図２】
2010110024.tif 000004
【図３】
2010110024.tif 000005
【図４】
2010110024.tif 000006
【図５】
2010110024.tif 000007
【図６】
2010110024.tif 000008
【図７】
2010110024.tif 000009
【図８】
2010110024.tif 000010
【図９】
2010110024.tif 000011